(57)【要約】      （修正有）【課題】相手が立位状態であって、受付側が座位状態又は立位状態であった場合であっても、受付側の人間を立位状態の相手の呼気等飛散から十分に防止できるパーティションを提供する。【解決手段】カウンターのカウンター天板３０、３１上に載置されてカウンター天板３０、３１上の空間を仕切るためのパーティション１０であって、カウンター前方に立つ人間の頭部を超える高さ位置に上端部１１が配置される透明板状のパーティション本体１４と、パーティション本体１４下縁部１３において、パーティション本体１４をカウンター天板３０、３１上に支持する支持部材２４とを有する。【選択図】図１
0003230843.tif 000002
【実用新案登録請求の範囲】
【請求項１】
カウンターのカウンター天板上に載置されて前記カウンター天板上の空間を仕切るためのパーティションであって、
前記カウンター前方に立つ人間の頭部を超える高さ位置に上端部が配置される透明板状のパーティション本体と、前記パーティション本体下縁部において、前記パーティション本体を前記カウンター天板上に支持する支持部材とを有することを特徴とするパーティション。
【請求項２】
前記パーティション本体の下縁部には幅方向両端部に一対の凹部が形成されている一方、前記支持部材は、前記一対の凹部に対して、それぞれ、長さ方向に沿って挿入されるスリット部を有する棒状部材及び、前記棒状部材がそれぞれ挿入固定される孔部と前記パーティション本体の前記凹部と幅方向側端部との間の下縁突出部が挿入固定されるスリット部とを有する円盤状ベース部材とにより構成されることを特徴とするパーティション。
【請求項３】
前記パーティション本体の前記上端部は床面から２ｍの高さ位置に配置され、カウンター天板の高さ寸法が８００〜１０００ｍｍであり、受付側が立位状態で対応するハイカウンターに前記パーティションを設置する場合、前記パーティション本体の高さ寸法は、１０００〜１２００ｍｍであることを特徴とする請求項１記載のパーティション。
【請求項４】
前記パーティション本体の前記上端部は床面から２ｍの高さ位置に配置され、カウンター天板の高さ寸法が６００〜８００ｍｍであり、受付側が着座状態で対応するローカウンターに前記パーティションを設置する場合、前記パーティション本体の高さ寸法は、１２００〜１４００ｍｍであることを特徴とする請求項１記載のパーティション。
【請求項５】
前記パーティション本体、前記棒状部材及び前記円盤状ベース部材は、合成樹脂により形成されていることを特徴とする請求項１記載のパーティション。
【請求項６】
前記パーティション本体は、合成樹脂により形成されており、前記棒状部材及び前記円盤状ベース部材は、木材により形成されていることを特徴とする請求項１記載のパーティション。
【請求項７】
前記パーティション本体の下端部に所定幅の開口部が形成されていることを特徴とする請求項１記載のパーティション。
【考案の詳細な説明】
【技術分野】
【０００１】
本考案は、パーティションに係り、特に、会社の受付、ホテルのレセプション、催し物会場の受付等で使用されるカウンターのカウンター天板上に載置するパーティションに関する。
【背景技術】
【０００２】
現在、新型コロナウイルス感染状況下において、様々な状況下でパーティションが使用されている（例えば、特許文献１）。このようなパーティションは、机上に設置されることもあるが、一般的に、これらのパーティションによる規制対象者は着座者を想定している。
【０００３】
しかしながら、例えば、会社の受付、ホテルのレセプション、催し物会場の受付等において、立位状態の客に対して対応する場合、呼気等の飛散防止の観点からは、パーティションの高さ寸法が不十分であり、パーティションを越えて相手の呼気が侵入する可能性が高い。
【先行技術文献】
【特許文献】
【０００４】
【特許文献１】特開２０１４−００５７１７号公報
【考案の概要】
【考案が解決しようとする課題】
【０００５】
そこで、本考案の課題は、相手が立位状態であって、受付側が座位状態又は立位状態であった場合であっても、受付側の人間を立位状態の相手の呼気等飛散から十分に防止できるパーティションを提供することにある。
【課題を解決するための手段】
【０００６】
上記課題達成のため、請求項１記載の考案にあっては、カウンターのカウンター天板上に載置されて前記カウンター天板上の空間を仕切るためのパーティションであって、前記カウンター前方に立つ人間の頭部を超える高さ位置に上端部が配置される透明板状のパーティション本体と、前記パーティション本体下縁部において、前記パーティション本体を前記カウンター天板上に支持する支持部材とを有することを特徴とする。
従って、本考案に係るパーティションにあっては、カウンター前方に立つ人間に対してもカウンター上方空間を仕切ることができる。
【０００７】
請求項２記載の考案にあっては、前記パーティション本体の下縁部には幅方向両端部に一対の凹部が形成されている一方、前記支持部材は、前記一対の凹部に対して、それぞれ、パーティション本体が長さ方向に沿って挿入されるスリット部を有する棒状部材及び、前記棒状部材がそれぞれ挿入固定される孔部と前記パーティション本体の前記凹部と幅方向側端部との間の下縁突出部が挿入固定されるスリット部とを有する円盤状ベース部材とにより構成されることを特徴とする。
従って、本考案に係るパーティションにあっては、パーティション本体の凹部に棒状部材を挿入して、これらを円盤状ベース部材で支持した状態でカウンター天板上に載置することができる。
【０００８】
請求項３記載の考案にあっては、前記パーティション本体の前記上端部は床面から２ｍの高さ位置に配置され、カウンター天板の高さ寸法が８００〜１０００ｍｍであり、受付側が立位状態で対応するハイカウンターに前記パーティションを設置する場合、前記パーティション本体の高さ寸法は、１０００〜１２００ｍｍであることを特徴とする。
従って、本考案に係るパーティションにあっては、パーティション本体の高さ寸法を、受付側が立位で対応する場合のハイカウンターのカウンター天板の高さ寸法に適した寸法にすることができる。
【０００９】
請求項４記載の考案にあっては、前記パーティション本体の前記上端部は床面から２ｍの高さ位置に配置され、カウンター天板の高さ寸法が６００〜８００ｍｍであり、受付側が着座状態で対応するローカウンターに前記パーティションを設置する場合、前記パーティション本体の高さ寸法は、１２００〜１４００ｍｍであることを特徴とする。
従って、本考案に係るパーティションにあっては、パーティション本体の高さ寸法を、受付側が座位で対応する場合のローカウンターのカウンター天板の高さ寸法に適した寸法にすることができる。
【００１０】
請求項５記載の考案にあっては、前記パーティション本体、前記棒状部材及び前記円盤状ベース部材は、合成樹脂により形成されていることを特徴とする。
従って、本考案に係るパーティションにあっては、構成部材を全て合成樹脂により形成することができる。
【００１１】
請求項６記載の考案にあっては、前記パーティション本体は、合成樹脂により形成されており、前記棒状部材及び前記円盤状ベース部材は、木材により形成されていることを特徴とする。従って、本考案に係るパーティションにあっては、支持部材を木材により構成することができる。
【考案の効果】
【００１２】
請求項１記載の考案にあっては、カウンターのカウンター天板上に載置されて前記カウンター天板上の空間を仕切るためのパーティションであって、前記カウンター前方に立つ人間の頭部を超える高さ位置に上端部が配置されていることから、例えば、会社等の接客カウンター上方の空間を仕切ることができ、接客カウンターにおいて相手が立位状態の人間の応接の場合に、受付側が座位状態であろうと、立位状態であろうと、相手の呼気、クシャミ、咳等による唾液粉末の飛散の影響を有効に排除できる。
さらに、請求項２記載の考案にあっては、一般のパーティションとは異なり、棒状部材を介することによって、パーティション本体にベース部材を確実に固定することができ、大きな高さ寸法の場合であっても安定的にカウンター天板上に設置することができる。
【００１３】
請求項３記載の考案にあっては、前記パーティション本体の前記上端部は床面から２ｍの高さ位置に配置され、カウンター天板の高さ寸法が８００〜１０００ｍｍであり、受付側が立位状態で対応するハイカウンターに前記パーティションを設置する場合、前記パーティション本体の高さ寸法は、１０００〜１２００ｍｍであることから、パーティション本体の高さ寸法を、ハイカウンターのカウンター天板の高さ寸法に適した寸法にすることができるため、パーティション本体の上端部が床面から２ｍの高さ位置に配置されているハイカウンター専用のパーティションを提供することができる。
【００１４】
請求項４記載の考案にあっては、前記パーティション本体の前記上端部は床面から２ｍの高さ位置に配置され、カウンター天板の高さ寸法が６００〜８００ｍｍであり、受付側が着座状態で対応するローカウンターに前記パーティションを設置する場合、前記パーティション本体の高さ寸法は、１２００〜１４００ｍｍであることから、パーティション本体の高さ寸法を、ローカウンターのカウンター天板の高さ寸法に適した寸法にすることができるため、パーティション本体の上端部が床面から２ｍの高さ位置に配置されているローカウンター専用のパーティションを提供することができる。
【００１５】
請求項４記載の考案にあっては、前記パーティション本体の下端部に所定幅の開口部が形成されていることから、開口部を通じて物品を通過させることができるため、パーティションを使用する際の利便性が向上する。
【００１６】
請求項５記載の考案にあっては、前記パーティション本体、前記棒状部材及び前記円盤状ベース部材は、合成樹脂により形成されていることから、構成部材を全て合成樹脂により形成することができるため、製造が容易となり、製造コストも抑えることができる。
【００１７】
請求項６記載の考案にあっては、前記パーティション本体は、合成樹脂により形成されており、支持部位を構成する棒状部材及び円盤状ベース部材は木材により形成されていることから、パーティション本体をより確実に支持することができると共に、外観品質を向上させることができる。
請求項７記載の考案にあっては、前記パーティション本体の下端部に所定幅の開口部が形成されていることから、カウンター上において、パーティションを介して訪問者、受付者の双方が物品のやり取りを行うことができる。
【図面の簡単な説明】
【００１８】
【図１】本考案に係るパーティションの一実施の形態における正面図である。
【図２】本考案に係るパーティションの一実施の形態におけるパーティション本体を示す正面図である。
【図３】本考案に係るパーィションの一実施の形態におけるパーティション本体の一部（左下端部）を拡大して示す拡大図である。
【図４】本考案に係るパーティションの一実施の形態における棒状部材を示す図であり、（Ａ）は平面図を示し、（Ｂ）は正面図を示している。
【図５】本考案に係るパーティションの一実施の形態における円盤状ベース部材を示す図であり、（Ａ）は平面図を示し、（Ｂ）は側面図を示している。
【図６】本考案に係るパーティションの一実施の形態における使用方法を示す図であり、（Ａ）はハイカウンターに関する使用方法を示し、（Ｂ）はローカウンターに関する使用方法を示している。
【図７】本考案に係るパーティションの他の実施の形態を示す正面図である。
【考案を実施するための形態】
【００１９】
以下、本考案に係る一実施の形態について、図面を参照しながら説明する。なお、各図面においては、理解を容易にするために部材の形状や寸法を誇張して図示している箇所もある。
図１に示すように、本実施の形態に係るパーティション１０は、図６に示すように、オフィス、ホテル、銀行、各種催し物会場等におけるハイカウンターＨＣ又はローカウンターＬＣのカウンター天板３０、３１上に載置されてカウンター天板上の空間を仕切るためのパーティション１０である。
カウンター前方に立つ人間の頭部高さ位置（図６に示す高さ寸法Ｘ）のやや上方の高さ位置に上端部１１が配置される透明板状のパーティション本体１４と、パーティション本体１４の下縁部において、パーティション本体１４をカウンター天板３０、３１上に支持する支持部材２４とを有している。
【００２０】
本実施の形態にあっては、図２に示すように、パーティション本体１４は、全体縦長長方形状に形成された透明のアクリル製の板状部材からなり、下縁部１３には幅方向両端部に、下方へ開口ずる一対の細長長方形状の凹部１２、１２が形成されている。
一方、図１、図４及び図５に示すように、支持部材２４は、一対の凹部１２、１２に対して、それぞれ、長さ方向に沿って下方から挿入されるスリット部１５を有する２本の棒状部材１６、１６及び、棒状部材１６、１６がそれぞれ挿入固定される孔部１７とパーティション本体１４の凹部１２と幅方向側端部１８との間の下縁部１９が挿入固定されるスリット部２０とを有する２基の円盤状ベース部材２１とにより構成されている。
本実施の形態にあっては、パーティション本体１４、棒状部材１６及び円盤状ベース部材２１はアクリル製である。
【００２１】
図２に示すように、パーティション本体１４は、四隅が面取りされたやや縦長長方形状の薄板状部材である。パーティション本体１４の左右の端部付近を除いた下縁部には、パーティション本体１４の下方に突出する下縁突出部２２が形成されている。
本実施の形態に係るパーティション１０にあっては、パーティション本体１４の下端部であって、下縁突出部２２の中央には所定幅の開口部２３が形成されている。
【００２２】
パーティション本体１４の高さ寸法（図中上下方向の寸法）Ｈ１は、１１００ｍｍである。パーティション本体１４の下縁突出部２２の幅寸法Ｈ２は５ｍｍである。パーティション本体１４の下縁突出部２２を除いた高さ寸法Ｈ３は１０９５ｍｍである。２つの凹部１２の長さ寸法Ｈ４は１５５ｍｍであり、開口部２３の幅寸法Ｈ５は１００ｍｍである。
【００２３】
パーティション本体１４の幅寸法Ｌ１は８５０ｍｍである。パーティション本体１４の側端部から凹部１２の中心までの長さ寸法は１００ｍｍである。２つの凹部１２の中心間の長さ寸法は６５０ｍｍであり、開口部２３の長さ寸法Ｌ４は４００ｍｍである。
【００２４】
パーティション本体１４の上部２つの角の弧Ｒ１は半径３０ｍｍの弧である。パーティション本体１４の下部２つの角の弧Ｒ２及び開口部２３の上部２つの角の弧Ｒ２は半径２０ｍｍの弧である。また、パーティション本体１４の厚さ寸法は３ｍｍである。
【００２５】
図２及び図３に示すように、凹部１２、１２の幅寸法Ｌ５は３０．２ｍｍである。凹部１２の幅方向外側の端部から下縁突出部２２の外側の端部までの長さ寸法Ｌ６は２５ｍｍであり、下縁突出部２２の端部からパーティション本体１４の左端部までの長さ寸法Ｌ７は５９．９ｍｍである。
【００２６】
図３に示す斜線のハッチング部分には、図４に示す棒状部材１６が配置される凹部１２の上部に棒状部材１６との接触領域１２ａが形成され、この棒状部材１６との接触領域１２ａの高さ寸法Ｈ６は１５０ｍｍである。なお、２つの凹部１２の構成や寸法等はいずれも同一である。
なお、上記説明においては、床面からの高さ寸法が大きく、受付者が立位で応対する、いわゆるハイカウンターの場合に使用される高さ寸法（図中上下方向の寸法）１１００ｍｍのパーティション本体１４を説明したが、床面からの高さ寸法が小さく、受付者が座位で応対するローカウンターの場合には、同一の構成であって高さ寸法のみが１３００ｍｍに形成されたパーティション本体１４が使用されるものである。
【００２７】
図４に示すように、本実施の形態にあっては、棒状部材１６は円筒状の透明アクリル製の部材である。棒状部材１６は直径が３０ｍｍであり厚さ寸法が３ｍｍのパイプである。棒状部材１６を円筒状ではなく、中実の棒状部材により構成することもできる。中実の棒状部材により構成した場合には、パーティション本体１４の支持強度をより確保することができる。
【００２８】
棒状部材１６の高さ寸法Ｈ７は３０５ｍｍである。なお、棒状部材１６の高さ寸法Ｈ７は３００〜４００ｍｍであることが好ましい。
棒状部材１６の下端部からスリット部２０までの高さ寸法Ｈ８は１５５ｍｍであり、パーティション本体１４の２つの凹部１２の長さ寸法Ｈ４に対応している。棒状部材１６のスリット部２０の高さ寸法Ｈ９は１５０ｍｍである。
【００２９】
棒状部材１６の径寸法Ｌ８は３０ｍｍである。棒状部材１６のスリット部２０の幅寸法Ｌ９は３．２ｍｍである。スリット部２０はスリット加工により形成されている。なお、使用される２本の棒状部材１６の構成や寸法等は同一である。
【００３０】
図５に示すように、本実施の形態にあっては、円盤状ベース部材２１は薄型円盤形状の透明アクリル製の部材である。円盤状ベース部材２１の厚さ寸法Ｌ８は５ｍｍであって、円盤状ベース部材２１の径寸法Ｌ１０は１５０ｍｍである。円盤状ベース部材２１の中央部には棒状部材１６が挿入される孔部１７が開設されていると共に、直径方向に沿って、上記パーティション本体１４の下縁突出部２２が係合するスリット部２０が設けられている。
【００３１】
上記スリット部２０は、円盤ベース部材２１の直径方向の一端部から孔部１７を貫通してさらに孔部１７の反対側中間部にまで延設されている。本実施の形態にあっては、直径方向端部から孔部１７へ至るスリット部２０の長さ寸法Ｌ１１は５９．９ｍｍである。
【００３２】
また、孔部１７の図中左端部から円盤状ベース部材２１の反対側中間部に向けて形成されたスリット部２０の長さ寸法Ｌ１３は２５．１ｍｍである。スリット部２０の先端部から円盤状ベース部材２１の他端部までの長さ寸法Ｌ１４は３４．８ｍｍであり、スリット部２０の幅寸法Ｗ１０は３．２ｍｍである。また、円盤状ベース部材２１の孔部１７の径寸法Ｌ１２は、３０．２ｍｍである。
【００３３】
次に、パーティション１０の組み立て方法について説明する。
まず、図５に示す円盤状ベース部材２１の孔部１７に、図４に示す棒状部材１６の下端部を挿入固定して支持部材２４を作成する。次に、図４に示す棒状部材１６のスリット部１５に、図２に示すパーティション本体１４の凹部１２を挿入して、支持部材２４にパーティション本体１４を装着する。
【００３４】
この際、図５に示す円盤状ベース部材２１のスリット部２０のＣ部分（Ｌ１１に対応する部分）には、図３に示すパーティション本体１４の凹部１２の右側の、下縁突出部２２のＣ部分が挿入固定される。また、図５に示す円盤状ベース部材２１のスリット部２０のＡ部分（Ｌ１３に対応する部分）には、図３に示すパーティション本体１４の凹部１２の左側の下縁突出部２２のＡ部分（Ｌ６に対応する部分）が挿入固定される。
さらに、図５に示す円盤状ベース部材２１のＢ部分（Ｌ１４に対応する部分）には、図３に示すパーティション本体１４の下縁部１９のＢ部分（Ｌ１７に対応する部分）が載置される。
【００３５】
一方、図３に示すように、パーティション本体１４の凹部１２には、図４に示す棒状部材１６の下部分（Ｈ８に対応する部分）が挿入配置される。また、図３に示す接触領域１２ａ（Ｈ６に対応する部分）には、図４に示す棒状部材１６のスリット部１５が挿入され、その結果、棒状部材１６の上方部（Ｈ９に対応する部分）が配置される。これによりパーティション１０が使用可能な状態に組み立てられる。
【００３６】
次に、本実施の形態に係るパーティション１０の使用方法について説明する。
図６（Ａ）に示すパーティション１０は、応対者が立位で応対するハイカウンターＨＣ用のパーティションである。図６（Ａ）に示すように、カウンター天板３０の高さ寸法Ｈ１０が、例えば９００ｍｍであり、訪問者Ｐ１に対応する受付者Ｐ２が立位状態で対応するハイカウンターＨＣにパーティション１０が設置されており、この場合には、パーティション本体１４の高さ寸法Ｈ１が１１００ｍｍに構成されたパーティションが使用される。
【００３７】
図６（Ｂ）に示すパーティション１０Ａは、応対者が坐位で応対するローカウンターＬＣ用のパーティションである。ローカウンターＬＣは、カウンター天板３１の高さ寸法Ｈ１１が７００ｍｍであり、訪問者Ｐ１に対応する受付者Ｐ２が着座状態で対応するローカウンターＬＣには、パーティション本体１４の高さ寸法Ｈ１２は１３００ｍｍのパーティション１０Ａが設置される。このパーティション１０Ａは、高さ寸法が異なるのみであり、他の構成はハイカウンターＨＣ用のパーティション１０と同一の構成である。
【００３８】
なお、ローカウンターＬＣ用のパーティション１０Ａにおいては、その他の部材の寸法を変更してもよい。例えば、円盤状ベース部材２１の厚さ寸法を８〜１０ｍｍに変更してもよく、棒状部材１６の高さ寸法を３５０〜４００ｍｍに変更してもよい。
【００３９】
そして、図６（Ａ）（Ｂ）に示すいずれのパーティション１０、１０Ａであっても、カウンター前方に立つ人間（訪問者Ｐ１）の頭部を超える高さ位置Ｘ、すなわち、床面から２ｍの高さ位置Ｘにパーティション本体１４の上端部１１が配置されている。その結果、いずれのタイプのパーティション１０、１０Ａにおいても、パーティション１１の上端部は床面から２ｍの高さ位置に配置されることから、一般通常人であれば、訪問者Ｐ１の頭部はパーティション１１の上端部の下方に位置することとなり、受付者Ｐ２は訪問者Ｐ１との会話において、発声により生ずる唾液、咳、クシャミ等による唾液粉末の飛散の影響を直接に受けることはなく、各種のウィルス感染を有効に予防することができる。
【００４０】
以上説明したように、本実施の形態に係るパーティション１０にあっては、パーティション本体１４に２本の棒状部材１６を挿入して、これらを２枚の円盤状ベース部材２１で支えることができるため、カウンター前方に立つ人間の頭部を超える高さ寸法のパーティション本体１４を備えるパーティション１０であっても、安定的にカウンター天板上に設置することができる。
【００４１】
また、本実施の形態に係るパーティション１０にあっては、パーティション本体１４の高さ寸法を、ハイカウンターＨＣのカウンター天板３０の高さ寸法に適した寸法にすることができるため、パーティション本体１４の上端部１１が床面から２ｍの高さ位置に配置されているハイカウンター専用のパーティション１０を提供することができる。
【００４２】
さらに、本実施の形態に係るパーティション１０Ａにあっては、パーティション本体１４の高さ寸法を、ローカウンターＬＣのカウンター天板３１の高さ寸法に適した寸法にすることができるため、パーティション本体１４の上端部１１が床面から２ｍの高さ位置に配置されているローカウンター専用のパーティション１０Ａを提供することができる。
【００４３】
さらにまた、本実施の形態に係るパーティション１０にあっては、開口部２３を通じて物品を通過させることができるため、パーティション１０を使用する際の利便性が向上する。その上、本実施の形態に係るパーティション１０にあっては、３つの部材を全て合成樹脂により形成することができるため、製造が容易となり、製造コストも抑えることができる。
【００４４】
上記実施の形態にあっては、棒状部材１６及び円盤状ベース部材２１がアクリル製である場合を例に説明したが、上記実施の形態に限定されず、棒状部材１６及び円盤状ベース
部材２１を木材により形成してもよい。
図７は、この実施の形態に係るパーティション２８を示す一部断面側面図である。
本実施の形態にあっては、木製の棒状部材２６及び円盤状ベース部材２５により支持部材２４が構成されており、パーティション本体１４は前記実施の形態と同様にアクリル製であって、前記実施の形態における場合と同一の構成、形状および大きさ寸法である。
【００４５】
本実施の形態にあっては、棒状部材２６は長さ寸法は３０８ｍｍであって径寸法は４０ｍｍの細長円柱状に形成されており、スリット部１５は上端部から１５０ｍｍ下方に至る位置まで、直径方向全域に貫通して形成されている。また、本実施の形態にあっては、スリット部１５から下端部に至るまで、スリット部１５に連続する細溝部３３が形成されている。その他の構成は前記実施の形態における棒状部材１６と同様である。
【００４６】
また、円盤状ベース部材２５は、中実の板状部材からなり、直径寸法は１８０ｍｍ、厚さ寸法は２０ｍｍに形成され、スリット部２０の幅寸法は５ｍｍに形成されている。孔部１７は、径寸法２０ｍｍであって表面部から８ｍｍの深さ寸法で形成されており、孔部１７の裏面部には棒状部材２６の基端部を円盤状ベース部材２５に固定するための２本の固定用ナット２９のナット挿通孔３２、３２が径方向に沿って、スリット部２０と直交するように所定間隔を置いて２ヶ所に開設されている。
【００４７】
従って、本実施の形態に係るパーティション２８を使用する場合には、円盤状ベース部材２５の孔部１７に棒状部材２６の基端部を挿入して、円盤状ベース部材２５の裏面側から固定用ナット２９、２９をナット挿通孔３２、３２に挿入して棒状部材２６を円盤状ベース部材２５に固定して支持部材２４を形成する。
その後、パーティション本体１４の凹部１２を棒状部材１６のスリット部１５に挿通させると共に、細溝部３３に沿わせて棒状部材１６に装着し、かつ、下縁部１９を円盤状ベース部材２５のスリット部２０に挿通させる。組み立て作業は前記実施の形態に係るパーティション１０の場合とほぼ同様である。
【００４８】
そして、本実施の形態に係るパーティション２８がカウンター天板３０、３１上に載置された場合には、図７に示すように、パーティション本体１４の下端部はカウンター天板３０、３１に当接する。
【００４９】
本実施の形態に係るパーティション２８にあっては、木製の棒状部材２６及び円盤状ベース部材２５により支持部材２４が構成され、さらに、固定用ナット２９により棒状部材２６が円盤状ベース部材２５に締め付け固定されていることから、アクリル製の場合に比して、支持部材２４の強度をより大きく確保することができ、パーティション本体１４をカウンター天板３０、３１上にさらに安定して設置することができる。
また、支持部材２４が木製であることから、外観品質が向上し、高級感のある外観を確保することが可能となる。
【００５０】
なお、支持部材２４がアクリル製及び木製の場合を説明したが、上記実施の形態に限定されず、例えば、金属製の支持部材を使用してもよい。
前記実施の形態におけるパーティション１０に用いる各部材の寸法は、あくまで例示であり、本実施の形態に限定されるものではない。ハイカウンターの天板の高さ寸法が８０〜１００ｃｍである場合、パーティション本体１４の高さ寸法は、１００〜１２０ｃｍであることが好ましい。ローカウンターの天板の高さ寸法が６０〜８０ｃｍである場合、パーティション本体１４の高さ寸法は、１２０〜１４０ｃｍであることが好ましい。
【００５１】
また、パーティション１０においては、開口部２３を形成してもよく、形成しなくてもよい。パーティション本体１４は、大人の人間の身長を考慮して、床面から２ｍ以上３ｍ以下の高さ位置に上端部１１が配置されていることが好ましい。
【００５２】
円盤状ベース部材２１は、真円に限らず、楕円状であってもよく、さらに、方形等、その他の平面形状であってもよい。
【産業上の利用可能性】
【００５３】
本考案はパーティションに係ることから、広く産業上の利用可能性を有している。
【符号の説明】
【００５４】
１０  パーティション
１０Ａ  パーティション
１１  上端部
１２  凹部
１２ａ  接触領域
１３  下縁部
１４  パーティション本体
１５  スリット部（棒状部材）
１６  棒状部材
１７  孔部
１８  幅方向側端部
１９  下縁部
２０  スリット部（円盤状ベース部材）
２１  円盤状ベース部材
２２  下縁突出部
２３  開口部
２４  支持部材
２５  円盤状ベース部材
２６  棒状部材
２７  カウンター天板
２８  パーティション
２９  固定用ナット
３０  カウンター天板
３１  カウンター天板
３２  固定孔
Ｐ１  訪問者
Ｐ２  受付者
【図１】
0003230843.tif 000003
【図２】
0003230843.tif 000004
【図３】
0003230843.tif 000005
【図４】
0003230843.tif 000006
【図５】
0003230843.tif 000007
【図６】
0003230843.tif 000008
【図７】
0003230843.tif 000009
【手続補正書】
【提出日】令和2年12月7日(2020.12.7)
【手続補正１】
【補正対象書類名】実用新案登録請求の範囲
【補正対象項目名】請求項５
【補正方法】変更
【補正の内容】
【請求項５】
前記パーティション本体、前記棒状部材及び前記円盤状ベース部材は、合成樹脂により形成されていることを特徴とする請求項２記載のパーティション。
【手続補正２】
【補正対象書類名】実用新案登録請求の範囲
【補正対象項目名】請求項６
【補正方法】変更
【補正の内容】
【請求項６】
前記パーティション本体は、合成樹脂により形成されており、前記棒状部材及び前記円盤状ベース部材は、木材により形成されていることを特徴とする請求項２記載のパーティション。